(57)【要約】【課題】近年、バッテリパックや電動モータの性能向上により、例えば出力電圧が１０．８Ｖ等の比較的小型のバッテリパックを用いた扇風機が提供可能である。比較的小型のバッテリパックを利用することで、本体部やバッテリ取付部のコンパクト化を図ることができる。一方、扇風機の首振り機構は、本体部やバッテリ取付部と比べてコンパクトに設けることが難しい。従来のバッテリパックを用いた扇風機の首振り機構では、台座部の特に首振り軸の延びる方向（上下方向）についてコンパクトにすることが難しかった。本発明は、バッテリパックを用いる扇風機に首振り機構を備え、かつ扇風機をコンパクトに設けて取り回し性を高めることを目的とする。【解決手段】首振り機構３０を駆動させる首振りモータ３１は、本体支持部１３の外周側において本体支持部１３に対して首振り軸線方向にオーバーラップした状態で台座部２０に収容される。【選択図】図１０
2019143523.tif 000002
【特許請求の範囲】
【請求項１】
充電式のバッテリパックを着脱可能なバッテリ取付部と、前記バッテリパックを電源とするファンモータと首振りモータと、前記ファンモータによって回転する羽根と、該羽根を回転可能に支持する本体部と、設置面に設置されかつ前記本体部を前記設置面に対して起立させる台座部を備えた扇風機であって、
前記台座部は、前記本体部が備える本体支持部を介して前記本体部を支持しており、
前記台座部は、前記設置面と交差する方向に延びる首振り軸回りに所定角度内で前記本体部を往復動させる首振り機構を備えており、
該首振り機構を駆動させる前記首振りモータは、前記本体支持部の外周側において該本体支持部に対して首振り軸線方向にオーバーラップした状態で前記台座部に収容された扇風機。
【請求項２】
請求項１に記載の扇風機であって、
前記台座部は、前記本体支持部を収容する台座凹部を備えており、
前記首振りモータは、前記台座凹部の外周側に配置される扇風機。
【請求項３】
請求項１または２に記載の扇風機であって、
前記設置面は壁面であり、前記台座部は、前記壁面に設けられた凸部材に引き掛け可能な複数の引掛孔を備えており、
前記台座部は、前記複数の引掛孔のうち一の組み合わせを選ぶことで第１の姿勢で引き掛け可能であり、
前記台座部は、前記複数の引掛孔のうち他の組み合わせを選ぶことで第２の姿勢で引き掛け可能であり、
前記羽根は、前記第１の姿勢で第１の送風範囲に送風可能であり、前記第２の姿勢で第２の送風範囲と、該第２の送風範囲を前記首振り軸回りに１８０度回転させた第３の送風範囲に送風可能である扇風機。
【請求項４】
請求項１〜３のいずれか１つに記載の扇風機であって、
前記本体部は、前記羽根を収容する羽根収容部と、該羽根収容部に設けられた前記バッテリ取付部と、前記首振り軸と前記羽根の回転軸の双方と交差する揺動軸回りに風向きを変更するための風向変更機構を備えており、
前記風向変更機構は、風向きをロックするためのロック機構を備えており、該ロック機構のアンロック操作時に前記揺動軸回りに前記羽根収容部を揺動可能である扇風機。
【請求項５】
請求項１〜４のいずれか１つに記載の扇風機であって、
前記首振りモータの動力は、前記首振り機構に設けられたアームを介して前記本体支持部に伝達される扇風機。
【請求項６】
請求項５に記載の扇風機であって、
前記アームは円弧形状を有し、その一端側は前記首振りモータの出力軸に結合されたクランクに連結され、他端側は前記本体支持部に結合されたクランクに連結された扇風機。
【請求項７】
請求項１〜６のいずれか１つに記載の扇風機であって、
前記本体支持部と前記台座部との間に、前記本体部の往復動の回転範囲を規制する回転規制部を備えた扇風機。
【発明の詳細な説明】
【技術分野】
【０００１】
この発明は、例えば電動工具用の充電式バッテリパックを電源とする扇風機に関する。
【背景技術】
【０００２】
充電式のバッテリパックを用いる扇風機は、家庭用電源（例えば交流１００Ｖ）に接続する必要がないため、建築工事現場等の様々な場所に持ち運んで使用できる。また、建築工事現場等では、電動ドリルやねじ締め機等の電動工具の電源として電動工具用のバッテリパックが使用される。電動工具用のバッテリパックを扇風機に利用できるようにすることで扇風機の利便性が高まる。特許文献１には、電動工具用のバッテリパックを用いる扇風機について開示されている。さらに特許文献２には、電動工具用の充電式バッテリパックを電源として首振り機構を備えた扇風機について開示されている。首振り機構を備える扇風機の本体部は、設置面と交差する方向に延びる首振り軸回りに首振り（左右に方向転換する往復動）可能である。これにより、自動的に首振りしない扇風機と比べてより広範囲に送風できる。
【０００３】
特許文献２に開示されるような従来の首振り機構を備えたバッテリ式の扇風機には、例えば出力電圧が１４．４Ｖ、１８Ｖ等の比較的大型のバッテリパックが用いられている。バッテリ式の扇風機は、建築工事現場等に持ち運ばれたり壁等に取り付けられたりして使用されるため、小型化や軽量化がなされた扇風機が求められている。近年ではバッテリパックや電動モータの性能向上により、例えば出力電圧が１０．８Ｖ等の比較的小型のバッテリパックを用いた扇風機が提供可能である。比較的小型のバッテリパックを利用することで、本体部やバッテリ取付部のコンパクト化を図ることができる。
【先行技術文献】
【特許文献】
【０００４】
【特許文献１】特開２０１５−１９４１２１号公報
【特許文献２】特開２０１４−２０９００１号公報
【発明の概要】
【発明が解決しようとする課題】
【０００５】
一方、首振り機構は、本体部やバッテリ取付部と比べてコンパクトに設けることが難しい。従来の比較的大型のバッテリパックを用いた扇風機の首振り機構を備える台座部は、特に首振り軸の延びる方向（上下方向）について長さを必要とする。したがって、本体部やバッテリ取付部のコンパクト化を図ることができても、扇風機をコンパクトにすることが難しい。そのため、従来の比較的小型のバッテリパックを用いる扇風機には、首振り機構が備えられていなかった。
【０００６】
本発明は、バッテリパックを用いる扇風機に首振り機構を備え、かつ扇風機をコンパクトに設けて取り回し性を高めることを目的とする。
【課題を解決するための手段】
【０００７】
上記の課題は以下の各発明により解決される。
【０００８】
第１の発明は、充電式のバッテリパックを着脱可能なバッテリ取付部と、バッテリパックを電源とするファンモータと首振りモータと、ファンモータによって回転する羽根と、羽根を回転可能に支持する本体部と、設置面に設置されかつ本体部を設置面に対して起立させる台座部を備えた扇風機である。第１の発明において台座部は、本体部が備える本体支持部を介して本体部を支持する。第１の発明において台座部は、設置面と交差する方向に延びる首振り軸回りに所定角度内で本体部を往復動させる首振り機構を備える。第１の発明において、首振り機構を駆動させる首振りモータは、本体支持部の外周側において本体支持部に対して首振り軸線方向にオーバーラップした状態で台座部に収容される。
【０００９】
第１の発明によれば、本体支持部と首振りモータを首振り軸と交差する方向（前後左右方向）に横並びに配置することができる。これにより、台座部を特に首振り軸の延びる方向（上下方向）についてコンパクトにでき、扇風機の使い勝手が高まる。第１の発明を比較的小型のバッテリパックを用いる扇風機に適用することにより、首振り機構の実装と、扇風機の特に首振り軸の延びる方向（上下方向）についてのコンパクト化が両立できる。また、第１の発明によれば、首振りモータのサイズによらずに台座部を首振り軸の延びる方向（上下方向）についてコンパクトにできる。そのため、首振りモータのサイズを比較的自由に選ぶことができる。
【００１０】
第２の発明は、第１の発明において台座部が、本体支持部を収容する台座凹部を備える扇風機である。第２の発明において首振りモータは、台座凹部の外周側に配置される。
【００１１】
第２の発明によれば、首振り軸の延びる方向（上下方向）について台座部をコンパクトにでき、かつ本体部の首振りを妨げないように首振り軸と交差する方向（前後左右方向）の台座部の突出を抑えることができる。そのため、首振り機構を備える扇風機をよりコンパクトにでき、扇風機の使い勝手がより高まる。
【００１２】
第３の発明は、第１または第２の発明において台座部が、設置面である壁面に設けられた凸部材に引き掛け可能な複数の引掛孔を備える扇風機である。第３の発明において台座部は、複数の引掛孔のうち一の組み合わせを選ぶことで第１の姿勢で引き掛け可能であり、複数の引掛孔のうち他の組み合わせを選ぶことで第２の姿勢で引き掛け可能である。第３の発明において羽根は、第１の姿勢で第１の送風範囲に送風可能であり、第２の姿勢で第２の送風範囲と、第２の送風範囲を前記首振り軸回りに１８０度回転させた第３の送風範囲に送風可能である。
【００１３】
第３の発明によれば、壁面に設置した扇風機について、風の吹き出す方向や送風範囲の自由度が高くなる。
【００１４】
第４の発明は、第１〜第３のいずれか１つの発明において本体部が、羽根を収容する羽根収容部と、羽根収容部に設けられたバッテリ取付部と、首振り軸と羽根の回転軸の双方と交差する揺動軸回りに風向きを変更するための風向変更機構を備える扇風機である。第４の発明において風向変更機構は、風向きをロックするためのロック機構を備えており、ロック機構のアンロック操作時に揺動軸回りに羽根収容部を揺動可能である。
【００１５】
第４の発明によれば、ロック機構により例えば上下方向の風向きがロックされる。これにより、例えばバッテリパックの装着時にその重量によって風向変更機構の揺動軸回りに羽根収容部が不意に回転してしまうことをロック機構により防止できる。これにより、本体部の首振り運動以外で風の吹き出し方向が勝手に変わってしまうことが防止される。また、羽根収容部に手が触れる等して不用意に風向きが変わってしまうことが防止される。
【００１６】
第５の発明は、第１〜第４のいずれか１つの発明において、首振りモータの動力が、首振り機構に設けられたアームを介して本体支持部に伝達される扇風機である。
【００１７】
第５の発明によれば、首振りモータを首振り軸から離間させて配置することができる。これにより、本体支持部の外周側に、本体支持部に対して首振り軸線方向にオーバーラップした状態で首振りモータを配置することが容易となる。
【００１８】
第６の発明は、第５の発明において、アームが円弧形状を有する扇風機である。第６の発明において、アームの一端側は首振りモータの出力軸に結合されたクランクに連結され、他端側は本体支持部に結合されたクランクに連結される。
【００１９】
第６の発明によれば、首振りモータの出力軸に結合されたクランク又は本体支持部に結合されたクランクに対してアームが上下方向に重なる箇所を減らすことができる。これにより、首振り機構における動力の伝達効率が高まる。
【００２０】
第７の発明は、第１〜第６のいずれか１つの発明において、本体支持部と台座部との間に、本体部の往復動の回転範囲を規制する回転規制部を備えた扇風機である。
【００２１】
第７の発明によれば、本体部の往復動を可能にしつつ、必要以上の範囲に送風されることを抑制することができる。
【図面の簡単な説明】
【００２２】
【図１】第１実施形態に係る扇風機の正面図である。
【図２】第１実施形態に係る扇風機の平面図である。
【図３】フックが格納位置にある状態の第１実施形態に係る扇風機の側面図である。
【図４】フックが格納位置にある状態の第１実施形態に係る扇風機の背面図である。
【図５】第１実施形態に係る扇風機の下面図である。
【図６】フックが使用位置にある状態の第１実施形態に係る扇風機の側面図である。
【図７】フックが使用位置にある状態の第１実施形態に係る扇風機の背面図である。
【図８】図２のＶＩＩＩ−ＶＩＩＩ線断面矢視図であって、第１実施形態に係る扇風機の縦断面図である。
【図９】図２のＩＸ−ＩＸ線断面矢視図であって、第１実施形態に係る扇風機の縦断面図である。
【図１０】ベースの底面を取り外した第１実施形態に係る扇風機の下面図である。
【図１１】図３のＸＩ−ＸＩ線断面矢視図であって、第１実施形態に係る扇風機の横断面図である。
【図１２】図３のＸＩＩ−ＸＩＩ線断面矢視図であって、第１実施形態に係る扇風機の横断面図である。
【図１３】バッテリパックを取り外した第１実施形態に係る扇風機の平面図である。
【図１４】バッテリパックを取り外した第１実施形態に係る扇風機の背面図である。
【図１５】図１３のＸＶ−ＸＶ線断面矢視図であって、第１実施形態に係る扇風機の縦断面図である。
【図１６】第２実施形態に係る扇風機の正面図である。
【図１７】第２実施形態に係る扇風機の平面図である。
【図１８】第２実施形態に係る扇風機の側面図である。
【図１９】第２実施形態に係る扇風機の背面図である。
【図２０】第２実施形態に係る扇風機の側面図である。
【図２１】図１７のＸＸＩ−ＸＸＩ線断面矢視図であって、第２実施形態に係る扇風機の縦断面図である。
【図２２】図１８のＸＸＩＩ−ＸＸＩＩ線断面矢視図であって、第２実施形態に係る扇風機の縦断面図である。
【図２３】バッテリパックを取り外した第２実施形態に係る扇風機の平面図である。
【図２４】バッテリパックを取り外した第２実施形態に係る扇風機の背面図である。
【図２５】図１７のＸＸＶ−ＸＸＶ線断面矢視図であって、第２実施形態に係る扇風機の縦断面図である。
【発明を実施するための形態】
【００２３】
次に、本発明の第１実施形態を図１〜１５に基づいて説明する。図１に示すように扇風機１は、本体部１０と、本体部１０を支持する台座部２０を備えている。図３，８に示すように本体部１０は、充電式のバッテリパック４１を着脱可能なバッテリ取付部４０と、バッテリパック４１を電源とするファンモータ１１と、ファンモータ１１のモータ軸１１ａに装着される羽根１２を備えている。モータ軸１１ａは、軸線Ｙを中心に回転する。そのためモータ軸１１ａに装着される羽根１２も、軸線Ｙを中心に回転する。以下の説明において、台座部２０に対して本体部１０が配置される方向を上方とし、後述する本体部１０が初期位置である時の羽根１２の送風方向を前方とする。左右方向については本体部１０を前方から見た時を基準とする。
【００２４】
図１，８に示すように本体部１０は、羽根１２を収容する羽根収容部１４と、羽根収容部１４を支持する本体支持部１３を備えている。本体支持部１３の支持アーム部１３ａは、羽根収容部１４の左右端を支持している。羽根１２は、ファンモータ１１に装着される中央部１２ａと、中央部１２ａから径方向に延びる複数の翼１２ｂを備えている。羽根１２は、例えば３枚羽根形式であって、３枚の翼１２ｂを備えている。
【００２５】
図１〜４に示すように羽根収容部１４は、円形椀状の前ガード１４ａと後ガード１４ｂを前後方向に相互に接続することで形成されている。前ガード１４ａは、羽根１２の径方向外周を覆う円筒状の外周ガード１４ｃと、羽根１２の前側を保護する網目部１４ｄを備えている。後ガード１４ｂは、羽根１２の径方向外周を覆う円筒状の外周ガード１４ｅと、羽根１２の後側を保護する網目部１４ｆを備えている。前ガード１４ａと後ガード１４ｂが相互に接続されることで、外周ガード１４ｃと外周ガード１４ｅは前後方向に並んで連結されている。網目部１４ｄは、径方向から周方向に傾いて（図１において網目部１４ｄの中心から外側に向かって反時計回り方向に傾いて）延びる放射枠１４ｇと、周方向に延びる同心円状の周方向枠１４ｈを備えている。網目部１４ｆは、径方向に延びる放射枠１４ｉと、周方向に延びる同心円状の周方向枠１４ｊを備えている。
【００２６】
図８に示すようにファンモータ１１は、本体部１０に設けられたモータハウジング１６に収容されている。モータハウジング１６は羽根収容部１４の概ね中央に配置されている。初期位置においてファンモータ１１は、モータ軸１１ａを前後方向（軸線Ｙ方向）に延ばしてモータハウジング１６に収容されている。
【００２７】
図３，８に示すようにモータハウジング１６の後方であって羽根収容部１４の後部には、バッテリパック４１が着脱可能なバッテリ取付部４０が設けられている。図３の下向きの白抜き矢印で示すようにバッテリパック４１は、バッテリ取付部４０の上方から下方に向かってスライドさせることで取り付けられる。また、図３の上向きの白抜き矢印で示すように、バッテリパック４１を下方から上方に向かってスライドさせることでバッテリ取付部４０から取り外せる。
【００２８】
図２，８に示すようにバッテリパック４１は、バッテリ取付部４０に取付けられる取付面側に爪部４１ａを備えている。また、バッテリパック４１の取り付け方向後面側に押し操作可能な取り外しボタン４１ｂを備えている。爪部４１ａは、バッテリパック４１の外側に向かって突出するようにばね付勢されている。バッテリ取付部４０には、爪部４１ａと対面して凹凸係合する係合凹部４０ａが設けられている。爪部４１ａと係合凹部４０ａが係合することでバッテリパック４１がバッテリ取付部４０にロックされる。取り外しボタン４１ｂを押し操作することで爪部４１ａは取付面の内側に収納される。これにより、爪部４１ａと係合凹部４０ａの係合が外れてバッテリパック４１のロック状態が解除され、バッテリパック４１をバッテリ取付部４０に対してスライドさせることができる。
【００２９】
図２〜４，８を参照するようにバッテリパック４１は、充電式電動工具用であって、例えば電動ねじ締め機やグラインダ等の電動工具の電源として利用される。バッテリパック４１は、別途用意した充電器で充電でき、繰り返し電源として利用可能である。バッテリパック４１は、例えば１０．８Ｖの直流電流を出力するリチウムイオンバッテリである。バッテリパック４１は、バッテリ取付部４０を介してモータハウジング１６内に設けられた制御板（不図示）の電源回路に電気的に接続される。バッテリパック４１の出力電力は、制御板の電源回路を経てファンモータ１１に供給される。
【００３０】
扇風機１は、バッテリパック４１に代えて、交流１００Ｖ等の外部電源を使用することができる。図４，７，１４に示すようにベース２０ａの後部には、外部電源から延びる電源プラグ等が接続可能な電源接続口２２が設けられている。
【００３１】
図２，１３に示すように台座部２０は、設置面に設置される長方形状のベース２０ａと、ベース２０ａの角を覆う脚部２０ｂを備えている。脚部２０ｂの接地面は、扇風機１を屋外で利用する際において地面等である。扇風機１を車内で利用する際においての脚部２０ｂの接地面は、シート等であり、扇風機１を屋内で利用する際においての脚部２０ｂの接地面は、床や壁等である。脚部２０ｂはエラストマで形成されており、羽根１２が回転する際に生じる振動が羽根収容部１４から設置面に伝わることを抑制する。ベース２０ａの左右端部それぞれには、上下方向に貫通する貫通孔２０ｇが設けられている。貫通孔２０ｇによってベース２０ａの軽量化を図ることができる。また、貫通孔２０ｇに指を通すことで、使用者はベース２０ａを把持しやすくなる。
【００３２】
図１，１０に示すように本体支持部１３は、ベース２０ａの台座凹部２０ｃに回転可能に装着される左右回転部１３ｃと、左右回転部１３ｃの上方に設けられる支持アーム部１３ａを備えている。支持アーム部１３ａは、外周ガード１４ｃ，１４ｅの周方向に沿って延びる円弧形状を有している。図８，１０に示すようにベース２０ａの上部には、円板形状に窪んだ台座凹部２０ｃが設けられている。左右回転部１３ｃは、台座凹部２０ｃに収まる円板形状を有し、台座凹部２０ｃ内に配置されている。したがって左右回転部１３ｃは、垂直方向に延びる首振り軸（軸線Ｚ）回りに回転可能に台座凹部２０ｃに支持される。
【００３３】
図８，１５に示すように左右回転部１３ｃの下面には、左右回転部１３ｃがベース２０ａに対して所定の回転範囲を超えて回転することを規制する規制凸部１３ｅが設けられている。規制凸部１３ｅは、本体支持部１３の後部側（後ガード１４ｂ側）に設けられている。図１０に示すように台座凹部２０ｃは、軸線Ｚを中心とする半円弧状の溝部２０ｈを有する。溝部２０ｈは台座部２０の後側半分に跨って形成されている。図８に示すように規制凸部１３ｅは、溝部２０ｈ内に進入している。規制凸部１３ｅと溝部２０ｈとは、本体部１０の軸線Ｚ回りの回転範囲を規制する回転規制部として機能する。規制凸部１３ｅは、本体支持部１３を軸線Ｚを中心に回転させることにより、溝部２０ｈに沿って移動する。これにより本体支持部１３は、初期位置から左右方向にそれぞれ概ね９０度まで回転可能であり、それ以上の角度の回転は規制凸部１３ｅが溝部２０ｈの端部に当接することにより規制される。
【００３４】
図２，８に示すように台座部２０の後方左端部には、モータハウジング２３が設けられている。モータハウジング２３は台座凹部２０ｃの外周より外側に配置されている。図９に示すようにモータハウジング２３には、首振りモータ３１が収容されている。首振りモータ３１はモータ軸３１ａを軸線Ｚに平行に沿わせた縦向きで収容されている。モータハウジング２３は、ベース２０ａの上面より上方に延びる延出部２３ａを備えている。延出部２３ａは、首振り運動する本体部１０や、本体部１０に設けられたフック１８と干渉しない高さを有して設けられている。首振りモータ３１のモータ軸３１ａと出力軸３１ｂの間に複数の減速ギヤ（不図示）が介装されている。モータ軸３１ａは、バッテリパック４１から電力供給されることで回転駆動する。モータ軸３１ａの回転は、複数の減速ギヤを介して減速しながら出力軸３１ｂに伝達される。
【００３５】
図１０に示すように出力軸３１ｂには、クランク３１ｃの一端側が相対回転不能に結合されている。このため、クランク３１ｃは出力軸３１ｂと一体で回転する。本体支持部１３の下部には、円板状の一部が径方向に突出したクランク３３が取り付けられている。クランク３１ｃの先端部３１ｄとクランク３３の突出部３３ａは、アーム３２によって連結されている。アーム３２は、その一端が先端部３１ｄに連結され、その他端が突出部３３ａに連結されている。アーム３２は、剛性の高い金属製であり、円弧形状に形成されている。クランク３１ｃとアーム３２とクランク３３によって首振り機構３０が構成されている。出力軸３１ｂの回転駆動は、首振り機構３０によって本体支持部１３の軸線Ｚ回りの所定角度（本実施形態では約９０°）の揺動運動（左右首振り運動）に変換される。本体支持部１３の揺動運動によって、羽根１２で発生する風が広範囲に送風される。
【００３６】
図８，１５に示すように左右方向角度調整機構（手動首振り機構）２０ｄは、１つまたは複数、例えば２つの位置保持部材１３ｄと、位置保持部材１３ｄを付勢するばねを備えている。位置保持部材１３ｄは、上下方向（軸線Ｚ方向）に移動可能に左右回転部１３ｃの下部に設けられている。ばねは、位置保持部材１３ｄを回転部材２７に向けて付勢する。回転部材２７は、ベース２０ａ内に支持されており、位置保持部材１３ｄに対応する円周上において凹部２７ｂと凸部（不図示）を交互に備える位置決め部２７ａを備えている。左右回転部１３ｃをベース２０ａに対して軸線Ｚ回りに回転させることで、位置保持部材１３ｄがばねの力に抗して上方に移動して位置決め部２７ａの凸部を超える。そしてばねの力を利用して位置保持部材１３ｄが位置決め部２７ａの凹部２７ｂに入る。これにより本体支持部１３がベース２０ａに対して複数の位置で解除可能に保持される。したがって左右方向角度調整機構２０ｄは、左右回転部１３ｃをベース２０ａに対して所定の角度で弾性的に保持し、羽根収容部１４の向きを左右方向に調整可能とする。これにより風の向きを左右方向に手動で調整することができる。また、首振り機構３０による本体支持部１３の揺動中心の方向を手動で調整することができる。
【００３７】
図２に示すように羽根収容部１４は、上下方向角度調整機構１３ｂによって支持アーム部１３ａに対して軸線Ｘ回りに回転可能に支持されている。上下方向角度調整機構１３ｂは、羽根収容部１４を支持アーム部１３ａに対して調整した角度位置で弾性的に保持する機能を有している。したがって羽根収容部１４の上下方向角度を上下方向角度調整機構１３ｂによって調整することで風向きを上下方向に調整できる。
【００３８】
図１１に示すように上下方向角度調整機構１３ｂは、支持アーム部１３ａの羽根収容部１４との連結部に設けられる。上下方向角度調整機構１３ｂは、羽根収容部１４と支持アーム部１３ａを介して軸線Ｘ方向（左右方向）に延びる軸部材２８と、支持アーム部１３ａに設けられる位置保持部材２９と、位置保持部材２９を付勢するばねを備えている。位置保持部材２９は、支持アーム部１３ａにおいて軸部材２８の径方向に移動可能に取付けられている。ばねは、支持アーム部１３ａに設けられて位置保持部材２９を軸部材２８に向けて付勢する。軸部材２８は、位置保持部材２９に対応する外周上において周方向に凹部と凸部を交互に備える位置決め部２８ａを備えている。軸部材２８を中心に羽根収容部１４を支持アーム部１３ａに対して軸線Ｘ回りに回転させることで、位置保持部材２９がばねの力に抗して回転軸から離れて位置決め部２８ａの凸部を超える。そしてばねの力を利用して位置保持部材２９が位置決め部２８ａの凹部に入る。これにより羽根収容部１４が支持アーム部１３ａに対して所定角度毎に解除可能に保持される。
【００３９】
図１に示すようにベース２０ａの前面には、操作部２１が設けられる。操作部２１には、電源スイッチ２１ａと風量スイッチ２１ｂとタイマースイッチ２１ｃと首振りスイッチ２１ｄが設けられている。電源スイッチ２１ａを押し操作することでファンモータ１１が起動する。また、電源スイッチ２１ａを押し操作することで起動中のファンモータ１１を停止させることができる。風量スイッチ２１ｂを押し操作することで、羽根１２で発生する風の風量を段階的に切り替えることができる。風量スイッチ２１ｂを押し操作することで、例えば３段階の風量に順次切り替えることができる。タイマースイッチ２１ｃを押し操作することで、ファンモータ１１が所定時間で停止するタイマーの設定をすることができ、ファンモータ１１が停止するまでの所定時間の長さを段階的に切り替えることができる。タイマースイッチ２１ｃを押し操作することで、例えば３段階の所定時間のタイマーオン設定の状態及びタイマーオフ設定の状態に順次切り替えることができる。首振りスイッチ２１ｄを押し操作することで、首振り機構３０による本体部１０の左右首振り運動のオンオフ状態を切り替えることができる。
【００４０】
図５に示すようにベース２０ａの下面２０ｆには、横姿勢引掛孔２４が左右横並びで一対形成されている。横姿勢引掛孔２４には、壁等に装着されたねじ等の引掛凸部が挿入される。横姿勢引掛孔２４は、ねじの頭が挿入可能な大きさの径を有する円形孔２４ａと、ねじの頭が挿入不可能でねじの軸部が挿入可能な幅を有して円形孔２４ａから延びる長孔２４ｂを備えている。長孔２４ｂは、円形孔２４ａの前後両端にそれぞれ１つずつ設けられている。円形孔２４ａにねじの頭部を挿入した状態で、ねじの軸部が長孔２４ｂに入り込むようにベース２０ａをスライドさせることで、横姿勢引掛孔２４からのねじの抜け止めがなされる。ねじが横姿勢引掛孔２４に対して抜け止めされることで、扇風機１を安定した状態で壁等に引き掛けることができる。
【００４１】
図５に示すようにベース２０ａの下面２０ｆには、縦姿勢引掛孔２５が前後横並びで一対形成されている。縦姿勢引掛孔２５には、壁等に装着されたねじ等の引掛凸部が挿入される。縦姿勢引掛孔２５は、ねじの頭が挿入可能な大きさの径を有する円形孔２５ａと、ねじの頭が挿入不可能でねじの軸部が挿入可能な幅を有して円形孔２５ａから延びる長孔２５ｂを備えている。長孔２５ｂは、円形孔２５ａから右方に延びて形成される。円形孔２５ａにねじの頭部を挿入した状態で、ねじの軸部が長孔２５ｂに入り込むようにベース２０ａをスライドさせることで、縦姿勢引掛孔２５からのねじの抜け止めがなされる。ねじが縦姿勢引掛孔２５に対して抜け止めされることで、扇風機１を安定した状態で壁等に引き掛けることができる。
【００４２】
図５に示すようにベース２０ａの下面２０ｆには、扇風機１を三脚等に固定するための取付孔２６が設けられている。取付孔２６に、三脚取り付け用の固定ねじが締め込まれる。
【００４３】
図３，４，６，７に示すように羽根収容部１４の後部には、吊り下げて利用するためのフック１８が設けられている。フック１８は、バッテリ取付部４０の左右両端部に回転可能に取付けられており、図３，４に示す格納位置と、図６，７に示す使用位置との間で移動可能に設けられている。フック１８は、左右一対のアーム部１８ａと、一対のアーム部１８ａそれぞれの一端間に架け渡すように形成される連結部１８ｂを備えている。
【００４４】
図３，４，６，７に示すようにアーム部１８ａは、連結部１８ｂと連結していない他端側に回転支持部１８ｃを備えている。回転支持部１８ｃは、バッテリ取付部４０の左右両端部にそれぞれ回転可能に取付けられている。回転支持部１８ｃは、左右方向に水平に突出しており、アーム部１８ａをバッテリ取付部４０に対して上下方向に回転可能に取付けている。アーム部１８ａの回転中心は、羽根１２の回転中心である軸線Ｙよりも上方に位置している。連結部１８ｂは、一対の回転支持部１８ｃ間の幅よりも長く形成されている。アーム部１８ａは、連結部１８ｂとの連結箇所より回転支持部１８ｃ側で湾曲する湾曲部１８ｄを備えている。湾曲部１８ｄは、格納位置において後方に向かって湾曲し、使用位置において前方に向かって湾曲している。湾曲部１８ｄによってアーム部１８ａは、使用位置において後ガード１４ｂの外形に沿うように形成されている。
【００４５】
連結部１８ｂの中央部分には、引掛部１８ｅが設けられている。引掛部１８ｅは、湾曲部１８ｄの湾曲方向と反対方向に略Ｕ字形に湾曲して形成されている。すなわち引掛部１８ｅは、格納位置において前方に向かって湾曲し、使用位置において後方に向かって湾曲するように設けられている。フック１８を格納位置に位置させると、連結部１８ｂは、アーム部１８ａより下方に位置する。図６，７に示すように使用位置における引掛部１８ｅを引掛対象部材に引き掛けて、扇風機１を吊り下げておくことができる。引掛対象部材は、例えば車両内のアシストグリップ、パーテーションパイプ等の車両部品、あるいは作業現場等のパイプ、梁、はしご等である。
【００４６】
以上のように構成した扇風機１によれば、本体支持部１３と首振りモータ３１を、首振り軸（軸線Ｚ）と交差する前後左右方向に横並びに配置して、相互に軸線Ｚ方向にオーバーラップさせて配置している。これにより、台座部２０を特に首振り軸（軸線Ｚ）の延びる上下方向についてコンパクトにでき、扇風機１の使い勝手が高まる。比較的小型のバッテリパック４１を用いる扇風機１に適用することにより、首振り機構３０の実装と、扇風機１の首振り軸（軸線Ｚ）の延びる上下方向についてのコンパクト化が両立できる。また、扇風機１によれば、首振りモータ３１のサイズによらずに台座部２０を特に首振り軸（軸線Ｚ）の延びる上下方向についてコンパクトにできる。そのため、首振りモータ３１のサイズを比較的自由に選ぶことができる。
【００４７】
また、扇風機１によれば、首振りモータ３１は、台座凹部２０ｃの外周側に配置される。そのため、首振り軸（軸線Ｚ）の延びる上下方向について台座部２０をコンパクトにでき、かつ前後左右方向の台座部２０の突出を抑えることができる。これにより、首振り機構３０による本体支持部１３の揺動が可能な状態を維持しつつ扇風機１をよりコンパクトにでき、扇風機１の使い勝手がより高まる。
【００４８】
また、扇風機１によれば、台座部２０が設置面である壁面に設けられた凸部材に引き掛け可能な複数の引掛孔を備える扇風機である。台座部２０は、横姿勢引掛孔２４を選ぶことで台座部２０の長手方向が横（左右方向）に延びる横姿勢で引き掛け可能である。また台座部２０は、縦姿勢引掛孔２５を選ぶことで台座部２０の長手方向が縦（上下方向）に延びる縦姿勢で引き掛け可能である。羽根１２は、横姿勢で本体部１０より下方の第１の送風範囲に送風可能である。また羽根１２は、縦姿勢で本体部１０より右方の第２の送風範囲と、本体部１０より左方の第３の送風範囲に送風可能である。かくして扇風機１によれば、壁面に引き掛けて設置した場合に風の吹き出す方向や送風範囲の自由度が高い。また、例えば首振りモータ３１が収容されているモータハウジング２３を下側にした姿勢を選んで扇風機１を引き掛けることができる。これにより、扇風機１は重心がより低い安定した状態で引き掛けられる。
【００４９】
また、扇風機１によれば、出力軸３１ｂに結合されたクランク３１ｃと、本体支持部１３の下部に結合されたクランク３３との間にアーム３２が連結されている。アーム３２は出力軸３１ｂから本体支持部１３へと動力を伝達させる。このため、首振りモータ３１を、本体部１０の首振り軸（軸線Ｚ）に対して、アーム３２の長手方向の長さに概ね相当する距離を有して配置することができる。これにより、本体支持部１３の外周側において、本体支持部１３に対して軸線Ｚ方向にオーバーラップした状態で首振りモータ３１を配置することが容易となる。
【００５０】
また、扇風機１によれば、アーム３２は円弧形状を有し、一端がクランク３１ｃの先端部３１ｄに、他端がクランク３３の突出部３３ａにそれぞれ連結される。このため、クランク３１ｃ及びクランク３３に対してアーム３２が上下方向に重なる箇所を減らすことができる。具体的には、アーム３２は、その移動する軌跡において、先端部３１ｄと突出部３３ａでのみクランク３１ｃ及びクランク３３に対して上下方向に重なるように設けられる。かくして、首振り機構３０における動力の伝達効率が高まる。
【００５１】
また、扇風機１によれば、本体支持部に規制凸部１３ｅを設け、台座凹部２０ｃに溝部２０ｈを設けて、本体部１０の軸線Ｚ回りの回転範囲を規制する回転規制部として機能させている。このため、本体部１０の往復動を可能にしつつ、必要以上の範囲に送風されることを抑制することができる。
【００５２】
また、扇風機１によれば、初期位置においてフック１８は後ガード１４ｂの後方に設けられ、モータハウジング２３が本体部１０の後方左端部に設けられる。そのため、フック１８を使用位置に移動させて引掛対象部材に引き掛けた時、モータハウジング２３に収容された首振りモータ３１の重量によって羽根１２の送風方向が水平方向に近づく。また、モータハウジング２３及び首振りモータ３１によって、引掛対象部材に引き掛けた扇風機１の重量バランスが安定化する。
【００５３】
次に、本発明の第２実施形態を図１６〜２５に基づいて説明する。第２実施形態の扇風機５０は、第１実施形態の扇風機１のバッテリ取付部４０に代えて、バッテリ取付部６０を備えている。バッテリ取付部６０は、バッテリパック４１より電気出力の大きいバッテリパック６１を取り付けることができる。例えばバッテリパック６１には、１４．４Ｖや１８Ｖ出力のリチウムイオンバッテリが用いられる。また扇風機５０は、扇風機１の軸部材２８と位置保持部材２９に代えて、軸部材６３と位置保持部材６４とアンロックボタン６２を備えている。
【００５４】
図２５に示すようにモータハウジング１６の後方であって羽根収容部１４の後部には、バッテリパック６１が着脱可能なバッテリ取付部６０が設けられている。図１８の下向きの白抜き矢印で示すようにバッテリパック６１は、バッテリ取付部６０の上方から下方に向かってスライドさせることで取り付けられる。また、図１８の上向きの白抜き矢印で示すように、バッテリパック６１を下方から上方に向かってスライドさせることでバッテリ取付部６０から取り外せる。
【００５５】
図１７，２５に示すようにバッテリパック６１は、バッテリ取付部６０に取付けられる取付面側に爪部６１ａを備え、バッテリパック６１の取り付け方向後面側に押し操作可能な取り外しボタン６１ｂを備えている。爪部は、バッテリパック６１の外側に向かって突出するようにばね付勢されている。バッテリ取付部６０には、図８に示すバッテリ取付部４０と同様に、爪部６１ａと対面して凹凸係合する係合凹部６０ａが設けられている。爪部６１ａと係合凹部６０ａが係合することでバッテリパック６１がバッテリ取付部６０にロックされる。取り外しボタン６１ｂを押し操作することで爪部６１ａは取付面の内側に収納される。これにより、爪部６１ａと係合凹部６０ａの係合が外れてバッテリパック６１のロック状態が解除され、バッテリパック６１をバッテリ取付部６０に対してスライドさせることができる。
【００５６】
図１７〜２０に示すようにバッテリ取付部６０に取り付けたバッテリパック６１は、図２〜４に示すバッテリ取付部４０に取り付けたバッテリパック４１と比べて、特に前後方向の長さが長い。フック１８は、バッテリパック６１と干渉することなく、収納位置と使用位置での使用が可能であり、かつ収納位置と使用位置の２位置間の移動が可能であるように設けられている。
【００５７】
図２０に示すようにバッテリ取付部６０の下端部には、後ガード１４ｂと接する前側部分に切欠き部６０ｂが設けられている。バッテリパック６１はバッテリパック４１よりも大きくて重いため、バッテリ取付部６０の大きさも大きくなる。そのため、扇風機５０の羽根１２の上流側（後側）で十分な流量を吸い込むことが難しくなる。しかしながら、切欠き部６０ｂが形成されることで、羽根１２の上流側（後側）から吸い込まれる流量を増やすことができる。
【００５８】
図２１，２２に示すように上下方向角度調整機構１３ｂは、支持アーム部１３ａの羽根収容部１４との連結部に設けられている。上下方向角度調整機構１３ｂは、羽根収容部１４と支持アーム部１３ａを介して軸線Ｘ方向（左右方向）に延びる軸部材６３と、支持アーム部１３ａに設けられる位置保持部材６４と、位置保持部材６４を付勢するばねを備えている。位置保持部材６４は、支持アーム部１３ａにおいて軸部材６３の径方向に移動可能に取付けられている。ばねは、支持アーム部１３ａに設けられて位置保持部材６４を軸部材６３に向けて付勢する。軸部材６３は、位置保持部材６４に対応する外周上において周方向に凹部６３ｂと凸部６３ｃを交互に備える位置決め部６３ａを備えている。軸部材６３を中心に羽根収容部１４を支持アーム部１３ａに対して軸線Ｘ回りに回転させることで、位置保持部材６４がばねの力に抗して回転軸から離れて位置決め部６３ａの凸部６３ｃを超える。そしてばねの力を利用して位置保持部材６４が位置決め部６３ａの凹部６３ｂに入る。これにより羽根収容部１４が支持アーム部１３ａに対して所定角度毎に解除可能に保持される。
【００５９】
図１６〜２２に示すように軸部材６３の軸線Ｘ方向外側（右側）には、押し操作可能なアンロックボタン６２が設けられている。アンロックボタン６２を操作しない状態では、軸部材６３が位置保持部材６４に対して軸線Ｘ回りに回転しない。そのため、本体支持部１３に対する羽根収容部１４の上下方向の向きが変更しない状態が維持される。アンロックボタン６２を押し操作すると、軸部材６３が位置保持部材６４に対して軸線Ｘ回りに回転可能となる。そのため、本体支持部１３に対する羽根収容部１４の上下方向の向きが変更可能な状態となる。
【００６０】
図２１に示すように、扇風機５０の羽根収容部１４の上下方向の回転中心軸である軸線Ｘは、本体支持部１３の左右方向の回転軸である軸線Ｚより前方に配置されている。軸部材６３は、その軸中心が軸線Ｘと略一致するように配置されている。軸部材６３が配置される前後位置は、本体部１０の重心の前後位置と概ね一致する。すなわち、扇風機５０の本体部１０の重心は、軸線Ｚよりも前方に位置するように構成されている。バッテリ取付部６０とバッテリパック６１は、それぞれバッテリ取付部４０とバッテリパック４１よりも大きくて重い。そのため、本体部１０を軸線Ｚよりも前方に配置することで、バッテリパック６１を取り付けた状態の本体部１０の前後方向の重心のバランスを良くすることができる。これにより、例えば図５に参照される取付孔２６を用いて三脚等に扇風機５０を固定した時の本体部１０のバランスが保たれる。
【００６１】
以上のように構成した扇風機５０によれば、本体支持部１３と首振りモータ３１を、首振り軸（軸線Ｚ）と交差する前後左右方向に横並びに配置して、相互に軸線Ｚ方向にオーバーラップさせて配置している。これにより、台座部２０を特に首振り軸（軸線Ｚ）の延びる上下方向についてコンパクトにでき、扇風機５０の使い勝手が高まる。また、扇風機５０によれば、首振りモータ３１のサイズによらずに台座部２０を特に首振り軸（軸線Ｚ）の延びる上下方向についてコンパクトにできる。そのため、首振りモータ３１のサイズを比較的自由に選ぶことができる。
【００６２】
また、扇風機５０によれば、首振りモータ３１は、台座凹部２０ｃの外周側に配置される。そのため、首振り軸（軸線Ｚ）の延びる上下方向について台座部２０をコンパクトにでき、かつ前後左右方向の台座部２０の突出を抑えることができる。これにより、首振り機構３０による本体支持部１３の揺動が可能な状態を維持しつつ扇風機５０をよりコンパクトにでき、扇風機５０の使い勝手がより高まる。
【００６３】
また、扇風機５０によれば、上下方向角度調整機構１３ｂで羽根収容部１４を回転させるためには、アンロックボタンの押し操作を必要とする。そのため扇風機５０によれば、比較的大型のバッテリパック６１の装着時にその重量によって、上下方向角度調整機構１３ｂを回転させる軸線Ｘ回りに羽根収容部１４が不意に回転してしまうことを防止できる。これにより、本体部１０の首振り運動以外で風の吹き出し方向が勝手に変わってしまうことが防止される。また、羽根収容部に手が触れる等して不用意に風向きが変わってしまうことが防止される。
【００６４】
以上説明した第１，第２実施形態の扇風機１，５０には種々変更を加えることができる。バッテリ取付部４０，６０を設ける位置について羽根収容部１４の後面側に限らず、例えば台座部２０に設ける構成としてもよい。本体支持部１３による本体部１０の支持構造について、例えば支持アーム部１３ａを円環状に設けて支持アーム部１３ａにフック１８の引き掛け機能を兼ねさせてもよい。支持アーム部１３ａによる本体部１０の支持位置を軸線Ｘの位置から変更させてもよい。首振りモータ３１の配置位置について、台座部２０の前方や右端部等の他の位置に変更させてもよい。台座部２０の設置面側に設ける引掛孔について、実施例で例示した横姿勢引掛孔２４や縦姿勢引掛孔２５に限定されず、配置位置、個数、孔の形状等を適宜変更することができる。本体支持部１３に対する羽根収容部１４の回転を規制するロック機構について、押し操作によってロック解除がなされるアンロックボタン６２に限らず、例えば引き操作や回転操作によるロック機構を適宜用いることができる。
【符号の説明】
【００６５】
１…扇風機
１０…本体部
１１…ファンモータ、１１ａ…モータ軸
１２…羽根、１２ａ…中央部、１２ｂ…翼
１３…本体支持部、１３ａ…支持アーム部、１３ｂ…上下方向角度調整機構
１３ｃ…左右回転部、１３ｄ…位置保持部材、１３ｅ…規制凸部（回転規制部）
１４…羽根収容部、１４ａ…前ガード、１４ｂ…後ガード
１４ｃ…外周ガード、１４ｄ…網目部、１４ｅ…外周ガード、１４ｆ…網目部
１４ｇ…放射枠、１４ｈ…周方向枠、１４ｉ…放射枠、１４ｊ…周方向枠
１６…モータハウジング
１８…フック、１８ａ…アーム部、１８ｂ…連結部、１８ｃ…回転支持部
１８ｄ…湾曲部、１８ｅ…引掛部
２０…台座部、２０ａ…ベース、２０ｂ…脚部、２０ｃ…台座凹部
２０ｄ…左右方向角度調整機構、２０ｆ…（ベース）下面、２０ｇ…貫通孔
２０ｈ…溝部（回転規制部）
２１…操作部、２１ａ…電源スイッチ、２１ｂ…風量スイッチ
２１ｃ…タイマースイッチ、２１ｄ…首振りスイッチ
２２…電源接続口
２３…モータハウジング、２３ａ…延出部
２４…横姿勢引掛孔、２４ａ…円形孔、２４ｂ…長孔
２５…縦姿勢引掛孔、２５ａ…円形孔、２５ｂ…長孔
２６…取付孔
２７…回転部材、２７ａ…位置決め部、２７ｂ…凹部
２８…軸部材、２８ａ…位置決め部
２９…位置保持部材
３０…首振り機構
３１…首振りモータ
３１ａ…モータ軸、３１ｂ…出力軸、３１ｃ…クランク、３１ｄ…先端部
３２…アーム
３３…クランク、３３ａ…突出部
４０…バッテリ取付部、４０ａ…係合凹部
４１…バッテリパック、４１ａ…爪部、４１ｂ…取り外しボタン
５０…扇風機
６０…バッテリ取付部、６０ａ…係合凹部、６０ｂ…切欠き部
６１…バッテリパック、６１ａ…爪部、６１ｂ…取り外しボタン
６２…アンロックボタン
６３…軸部材、６３ａ…位置決め部、６３ｂ…凹部、６３ｃ…凸部
６４…位置保持部材
【図１】
2019143523.tif 000003
【図２】
2019143523.tif 000004
【図３】
2019143523.tif 000005
【図４】
2019143523.tif 000006
【図５】
2019143523.tif 000007
【図６】
2019143523.tif 000008
【図７】
2019143523.tif 000009
【図８】
2019143523.tif 000010
【図９】
2019143523.tif 000011
【図１０】
2019143523.tif 000012
【図１１】
2019143523.tif 000013
【図１２】
2019143523.tif 000014
【図１３】
2019143523.tif 000015
【図１４】
2019143523.tif 000016
【図１５】
2019143523.tif 000017
【図１６】
2019143523.tif 000018
【図１７】
2019143523.tif 000019
【図１８】
2019143523.tif 000020
【図１９】
2019143523.tif 000021
【図２０】
2019143523.tif 000022
【図２１】
2019143523.tif 000023
【図２２】
2019143523.tif 000024
【図２３】
2019143523.tif 000025
【図２４】
2019143523.tif 000026
【図２５】
2019143523.tif 000027